(57)【特許請求の範囲】
【請求項１】
段状に設けた複数のフェーシングブロックであって、前記各ブロックは正面壁と、背面壁と、後方に向かって収束し前記正面壁を前記背面壁に連結する第１及び第２の側部壁を有し、かつ、ブロック上面とブロック底面を有し、前記正面壁と、背面壁と、第１及び第２の側部壁は前記ブロック上面と底面の間で少なくとも部分的に垂直方向に前記ブロック内を延伸する孔を画定し、前記ブロック上面又は底面は各段の前記隣接する２つのブロックの前記側部壁に設けられて互いに整列する側部壁スロットを有する複数のフェーシングブロックと；
複数の補強引張部材であって、各補強引張部材が前記各段のフェーシングブロックの横方向に隣接する２つのブロックの２つの前記側部壁に対して同時に作用するために前記横方向に隣接する２つのブロックの前記背面壁から背後に向かって互いに離間して延伸して締め固められた土と少なくとも部分的に摩擦係合する縦材と、該互いに離間して延伸する縦材を連結する交差材と、前記横方向に隣接する２つのブロックの隣接する前記２つの側部壁の前記互いに整列する側部壁スロット内に配設されて横方向に延伸し両端が前記孔の中で終端する横材であって、前記縦材を連結して前記縦材を前記隣接する２つのブロックの前記隣接する２つの側部壁に連結する横材を含む補強引張部材と；
を組み合わせた補強土構造。
【請求項２】
請求項１に記載の補強土構造であって、前記ブロックは前記側部壁に近接して前記背面壁の上面又は下面に設けられ前記背面壁を貫通する背面壁スロットを有し、前記縦材は前記背面スロット内を通る補強土構造。
【請求項３】
請求項１に記載の補強土構造であって、前記側部壁スロットは２つの互いに平行な側部壁スロットであり、かつ、前記横材は２つであり、該２つの横材が前記２つの互いに平行な側部壁スロット内に配設されている補強土構造。
【請求項４】
請求項１，２又は３に記載の補強土構造であって、前記横材の両端は曲げられて前記孔の内側に向かって延伸する補強土構造。
【請求項５】
請求項４に記載の補強土構造であって、前記孔は、前記横材の前記曲げられた両端を固定可能な材料で充填されている補強土構造。
【請求項６】
請求項５に記載の補強土構造であって、前記材料はコンクリートである補強土構造。
【請求項７】
請求項２乃至６のいずれか１つに記載の補強土構造であって、前記背面壁スロットは前記縦材の幅よりも大きい幅を有する補強土構造。
【請求項８】
段状に設けた複数のフェーシングブロックであって、前記各ブロックは正面壁と、背面壁と、後方に向かって収束し前記正面壁を前記背面壁に連結する第１及び第２の側部壁を有し、かつ、ブロック上面とブロック底面を有し、前記正面壁と、背面壁と、第１及び第２の側部壁は前記ブロック上面と底面の間で少なくとも部分的に垂直方向に前記ブロック内を延伸する孔を画定し、前記ブロック上面又は底面は各段の前記隣接する２つのブロックの前記側部壁に設けられて互いに整列する側部壁スロットを有する複数のフェーシングブロックと；
複数の補強引張部材であって、各補強引張部材が前記各段のフェーシングブロックの横方向に隣接する２つのブロックの隣接する２つの側部壁に対して同時に作用するために前記隣接する側部壁間の位置に配設され背後に延伸する縦材と、前記横方向に隣接する２つのブロックの隣接する前記側部壁の前記側部壁スロット内に配設され横方向に延伸し両端が前記孔の中で終端する横材であって、前記縦材と共にＴ字形を形成するように前記縦材に連結され前記縦材を前記隣接する２つのブロックの前記隣接する２つの側部壁に連結する横材とを含む補強引張部材と；
を組み合わせた補強土構造。
【請求項９】
請求項８に記載の補強土構造であって、前記縦材に連結された引張アセンブリ（１０３６）をさらに含んでなる補強土構造。
【請求項１０】
請求項８又は９に記載の補強土構造であって、前記横材と前記縦材はピンファスナを介して連結されている補強土構造。
【請求項１１】
請求項８、９又は１０に記載の補強土構造であって、前記横材と前記縦材は金属ストリップである補強土構造。
【請求項１２】
請求項９及び１１に記載の補強土構造であって、前記引張アセンブリは前記金属ストリップの前記縦材に連結された少なくともと２本の引張縦部材と、前記ブロックの背後に位置する締め固められた土の中に位置して前記少なくとも２本の引張縦部材を連結する交差材を含む補強土構造。
【請求項１３】
請求項１乃至１２のいずれか１つに記載の補強土構造であって、前記孔は前記ブロックの前記ブロック上面から前記ブロック底面まで貫通し、前記側部壁スロットは該貫通孔に繋がっている補強土構造。
【請求項１４】
請求項１乃至１３のいずれか１つに記載の補強土構造であって、前記側部壁スロットは前記側部壁において前記ブロック上面に位置する補強土構造。
【請求項１５】
請求項１乃至１４のいずれか１つに記載の補強土構造であって、前記ブロックは正面壁リップを有し、それにより、上段のブロックはその下段のブロックに対して前記正面壁リップの厚みの分だけセットバックしている補強土構造。
【請求項１６】
請求項１乃至１５のいずれか１つに記載の補強土構造であって、垂直方向に隣接する段の前記ブロックは横方向にオーバーラップする補強土構造。
【発明の詳細な説明】
【０００１】
【相互参照】
本発明は以下に列記する共願中の米国特許出願及び特許の一部継続出願である。同文献（すべて優先権主張済）は参照により本明細書に含まれる。
特許又は出願番号  発行日又は出願日                  名称
5,507,599    1996年4月16日    モジュールブロック保持壁構造体及び構成要素
5,487,623    1996年1月30日    モジュールブロック保持壁構造体及び構成要素
5,577,866    1996年11月26日    ワイヤメッシュフェーシング付土工作物
（1993年8月30日出願第08/114,098の継続出願）
5,474,405    1995年12月12日    低高壁構造物
5,622,455    1997年4月12日      イヤメッシュフェーシング付土工作物
（1993年11月22日出願第08/156,053の継続出願）
08/129,801    1994年2月14日    モジュールブロック保持壁構造体及び構成要素
5,586,841    1996年12月24日    壁保持構造物用２重目的モジュールブロック
08/472,885    1995年6月7日      機械的に安定化された土構造体用定化要素
【０００２】
【産業上の利用分野】
本発明は、改良された壁保持構造物に関し、特に、止め具付、機械的に安定化された土要素及び圧縮された微粒子又は土と組み合ったモジュールブロックから成る保持壁構造物に関する。本発明はさらに、機械的に安定化された土構造体及びそれと各種のフェーシング要素との組合せ用安定化要素に関する。
【０００３】
【従来の技術】
ヘンリヴィダル（Henri  Vidal）は、米国特許第３，６８６，８７３号及び３，４２１，３２６号で、現在しばしば機械的に安定化された土又は土構造体と呼ばれる建造工作物を開示する。参照された特許は、保持壁、盛土壁、井桁（プラットフォーム）、基礎等の機械的に安定化された土構造体を建造する方法も開示する。機械的に安定化された典型的土構造体では、粒状土製材料は、同材料内に適切な間隔で配置された細長い帯鋼のような縦方向要素と相互作用する。細長い要素は、概してプレキャスト鉄筋コンクリート壁パネルに取付けるために整列され、その組合わせは結合力のある盛土及び壁建造物を形成する。縦に沿うか又は細長い要素は、土構造物内に延び、主に摩擦相互作用によって圧縮された土粒子と相互作用し、従って、土工作物を機械的に安定化させる。それらはしばしば安定化要素と呼ばれる。細長い、縦の又は安定化用の要素は、同様に止め具又はアンカー（固定装置）機能をも果たす。
【０００４】
各種のヴィダル開発実施形態は、REINFORCED  EARTH盛土及びRETAINED  EARTH盛土等の商標で商業的に利用されてきている。さらに、この一般的性質のその他の建造工作物が開発されてきている。限定ではなくて例として、米国特許第４，３２４，５０４号でヒルフィカ（Hilfiker）は保持壁を開示する。それは、パネル部材の裏側に取付けられて土集団内に突出するワイヤ格子を有する、細長いパネル部材から成る。
【０００５】
概して、ヴィダル、ヒルフィカ及びその他は、機械的に安定化した土構造体を与えるためにストリップ、マット等と協同する大型プレキャスト鉄筋コンクリート壁パネル部材を開示する。ヴィダル、ヒルフィカ及びその他は、同様に各種形状のプレキャストコンクリート壁パネル部材をも開示し若しくは用いる。ヴィダル及びヒルフィカによって開示される工作物では、壁パネル又はブロック後方の圧縮された土又は微粒子と相互作用する要素は典型的に剛性帯鋼又はマットであり、究極的にこのような要素及び土又は粒子間の相互作用は摩擦に依存するが、それらは粒子との摩擦、固定相互作用に頼ることも注目される。ワイヤマット又はメッシュも同様に、コンクリートパネル部材の代わりに垂直フェーシング（表面仕上げ）要素として開示される。
【０００６】
このような状況では、壁を定めるために大きなプレキャストパネルよりはむしろより小さなブロックが用いられ得る。米国特許第４，９１４，８７６号でフォースベルク（Forsberg）は、可撓プラスチック網製品と組み合ってより小さい保持壁ブロックを機械的な安定化土要素として用いることを開示し、それによって機械的に安定化された土保持壁建造物を与えようとしている。可撓プラスチック網製品及び互いに積重ねて並べて配置されるより小さい特製ブロックを用いることで、そのような壁の建造段階で大きくかつ重い機械的昇降装置を用いる必要性は低減される。
【０００７】
他の者も同様に、盛土及び壁を建造するために、コンクリートアンカー、摩擦網製品材料と共に各種構成のフェーシングブロックを用いることを提案している。この種の各種製品の中で商業的に利用できるのは、ミネソタ州ロチェスタのRockwood  Retaining  Walls社提供の製品及びWestblock  Products社から商用名Gravity  Stoneで販売される製品である。これらのシステムの共通的特徴は、埋め戻し材と組み合った各種のフェーシング要素を用いることであると思われる。そこでは、埋め戻し材が、フェーシング要素に取付けられたプラスチック又は織物製補強、固定手段と相互作用する。従って、非常に多様なそのような組み合わせが市場で入手可能であるか若しくは各種の特許及び他の参考文献で開示される。
【０００８】
【発明が解決すべき課題】
それにもかかわらず、埋め戻し材及びその中に配置される要素の固定的、摩擦的相互作用を利用する改良されたシステムを与える必要性が依然として残されている。そこでは、要素は、多くの設備で用いられるような大きなフェーシングパネルよりは小さくかつ軽いブロック等のフェーシングと協同しかつそれに取付けられ得るか若しくはワイヤメッシュフェーシング要素と協同する。本発明は、この一般的性質を有する要素の改良された組合せから成り、保持壁及び盛土の建造のみならずそのような構造体の保守及びコスト面で向上された多能性を与える。本発明はさらにそのような土木工学構造体の建造に有用な各種の安定化要素を含む。
【０００９】
【発明の概要】
簡単に述べると、本発明は、保持壁システム又は建造物を含む改良された土木工学構造体を与える構成要素の組合せを含む。同様に本発明は、土木工学構造体を製造するための構成要素又は要素をも含む。本発明の1特徴は、保持壁建造物用のフェーシング構成要素として用いられ得るモジュール壁ブロックである。モジュール壁ブロックは、非補強かつ乾式成型であってもよい。ブロックは前面を含み、それは概して平面であるが、所望のあらゆる仕上げ及び形状で構成され得る。壁ブロックは概して収斂する側壁、概して平行な頂面及び底面、後壁、ブロックを通してブロックのモジュール特性を向上させる垂直貫通孔又は通路及び貫通孔と関連する座ぐり穴であって、ブロックが各種の固定、土安定化要素と一体化されかつ協同されることを可能にする特殊な形状及び構成を有する座ぐり孔をも含む。特殊な角ブロック及びキャップブロック建造物も開示される。
【００１０】
モジュール壁又はフェース（表面）ブロック及び他のブロック又はフェーシング要素と協同する各種の土安定化、固定要素も開示される。土安定化、固定要素の１実施形態は、概して平行な第1及び第2衝撃ロッドを含み、それらはモジュール壁ブロックから圧縮された土又は土工作物内へ縦に伸びるように設計される。衝撃ロッドの両端は、モジュール壁又はフェーシングブロックの頂面又は底面で定められる座ぐり孔に適合するように構成される。直角をなすか又は横のクロス部材は、平行衝撃ロッドを接続すると共に固定特性のみならず、衝撃ロッドと、土木工学構造体を含む土又は微粒子の相互作用の摩擦特性をも向上させるために整列される。安定化要素を、壁ブロック、パネル等のようなフェーシング要素に取付けるための各種システム及び構成要素のみならず、多くの代わりの安定化要素が開示される。
【００１１】
モジュールブロックと協同する、代わりの安定化要素はハーネス（まとめ取付け具）を含み、それは、ブロックの座ぐり穴に適合する、概して平行な衝撃アームを含むと共に衝撃アームをブロックに取付けるように垂直固定ロッドと協同する。ハーネスは、モジュールブロックの外側裏面に隣接する対面する衝撃アームを接続するクロス部材を含む。ハーネスのクロス部材は、例えば、モジュール壁ブロック後方の土工作物内へ伸びる土織物（ジオテックスタイル）と協同され得る。再び、ハーネスは、モジュールブロックで定められる通路又は貫通穴内に伸びる垂直固定ロッドと協同する。
【００１２】
記載した壁建造物は概して垂直な固定ロッドをさらに含む。同ロッドは、記載したブロックの貫通穴を通して垂直に伸びると同時に安定化要素とかみ合うことによって安定化要素及びこれらのブロックの双方と相互作用する。記載した構成要素の代わりの各種他の置換、組合せ及び建造物が規定される。
【００１３】
従って、本発明の目的は、モジュールブロック及び土工作物又は微粒子材料内へ突出する協同的安定化要素から成る、改良された保持壁建造物を与えることである。
【００１４】
本発明のさらなる目的は、改良された保持壁建造物の建造に用いられる改良された、独特のモジュールブロック建造物を与えることである。
【００１５】
本発明のなお他の目的は、既知の成型、即ち、造型技術を用いて容易に製造可能なモジュールブロック建造物を与えることである。
【００１６】
本発明のなおさらなる目的は、土保持又は安定化要素のみならず固定要素と組み合って有用な実質的に万能なモジュール壁ブロックを与えることである。
【００１７】
本発明のなお他の目的は、モジュール壁、フェーシングブロック又は他のフェーシング要素と協同する多数の土固定、安定化要素を与えることである。
【００１８】
本発明の他の目的は、各種の安定化要素デザイン及び安定化要素をフェーシングに取付ける各種の有用なデザインを与えることである。
【００１９】
本発明のなおさらなる目的は、安価、効率的、使い易くかつ従来のデザイン又は土木工学技術が可能なデザインで用いられ得る、保持壁システム又は建造物を製造する各要素の組合せを与えることである。
【００２０】
本発明の他の目的は、機械的に安定化された土建造物又は固定壁建造物で用いられ得るモジュールブロック用デザインを与えることである。そこでは、ブロックは非補強、乾式成型又はプレキャスト方法で製造され、剛性、金属安定化要素のみならずジオテクスタイルのような可撓安定化要素と相互作用され得る。
【００２１】
本発明のこれら及び他の目的、利点及び特徴は以下の詳細な記載で説明されるであろう。
【００２２】
【発明の実施形態】
全般的説明
図１は、概して本発明のモジュールブロック保持構造体を定める構成要素、即ち、要素の組合せを描写する。モジュールブロック４０は、重複する列をなして互いに重ねて連続して配置される。概して、剛性土保持又は安定化要素４２、可撓性安定化要素４４は、ブロック４０と協同するか若しくは相互作用する。また、留め具要素のような固定要素は、ブロック４０と協同して用いられ得る。安定化又は固定要素４２、４４は、垂直固定ロッド４６によってブロック４０に取付けられる。要素４２、４４は、ブロック４０の裏面から圧縮された土４８内に突出し、アンカーとして、摩擦的に、土と相互作用する。
【００２３】
要素４２と４４及び土、即ち、微粒子体間の相互作用は、結局土４８を含む微粒子材料とそれ自体及び要素４２及び４４のような要素との相互作用に依存することが注目される。因襲的に、その相互作用は、多くの場合摩擦的相互作用よりはむしろ固定する相互作用と考えられ得る。従って、本発明の開示のために、圧縮された土４８と安定化、固定要素との摩擦的及び固定的形の両相互作用は、概して本発明の範囲内であると考えられる。
【００２４】
本発明は、記載された別々の構成要素それ自体、それらの組立て方法、別々の構成要素の製造方法及び各種の補助的又は代替要素及びそれらの組合せに加えて、ブロック４０、安定化要素４２、４４、固定ロッド４６及び土４８を包含する上記構成要素の組合せから成る。これらの各種の構成要素、組合せ及び方法が以下に記載される。
【００２５】
フェーシングブロック建造物
図５乃至１３、１３A、３０乃至３６A、４４及び４５の外に、図２は標準モジュールブロック４０及び各種他のブロックの構成をより詳細に例示する。図５乃至７に加えて、図２は、本発明と関連する基本的モジュールブロック４０を描写する。図３０及び３１も同様に図２の基本又は標準モジュールブロック４０と関連する。残りの図面は他のブロック建造物に関する。
【００２６】
標準モジュールブロック
図２及び５乃至７に描写されるように、標準モジュールブロック４０は概して平坦な前面５０を含む。前面５０は、その望ましい実施形態において、製造工程の結果概して審美的に織り目が出されている。しかし、織り目を出すことは前面５０の限定的特性ではない。前面５０は、プレキャストされたパターンを含み得る。それは凸面又は凹面又は他の所望の成型又は造型された何らかの形状にされ得る。ブロック４０は主として成型技術によって製造されるので、前面５０用の多様な形状及び構成、表面のきめ等は概して本発明の限定的特性ではない。
【００２７】
しかし、前面５０は、図１に示すように壁を含むモジュールブロックの外形を定めない。従って、前面５０は、概して長方形の前方高所形状を定め、ブロック４０が成型技術によって製造されるので、前面５０の周辺寸法は概して標準コンクリートブロック建造物と関連するものである。しかし、サイズ、即ち、寸法は本発明の限定的特性ではない。
【００２８】
裏面５２は、前面５０から一定の間隔で、概してそれに平行設けられる。裏面５２は、概して前面５０から互いの方へ収斂する、側面５４及び５６によって前面５０と接続される。収斂は概して均一であり、ブロック４０の両側で等しい。の収斂は概して前縁５１、５３から又は前面５０から裏面５２の方へある距離を置いてから始まる。収斂は、単一平坦側面又は多数の平側面又は曲側面によって定められ得る。収斂角度は概して７°乃至１５°の範囲であるが、本発明の望ましい実施形態では０°乃至３０°の範囲の収斂が有用である。
【００２９】
ブロック４０の厚さ、又は言い換えると前面５０及び裏面５２間の距離は、土木工学及び構造的要件により変化され得る。再び、コンクリートブロック建造物と関連する典型的な寸法は、しばしば成型機及びブロック４０のプレキャスト又は乾式成型操作に要するものによって頼られる。従って、例えば、前面５０の寸法が幅１６インチX高さ８インチならば、裏面の幅は約１２インチであり、面５０、５２間の深さ又は距離は、約８、１０又は１２インチであろう。
【００３０】
図示の実施形態では、裏面５２のように側壁５４及び５６も同様に長方形である。平行な頂面及び底面５８及び６０は、それぞれ台形の形状を有し、面５０、５２及び壁５４、５６と交差する。望ましい実施形態では、面５８、６０は全く一致し、互いに平行であり、また、概して前面５０及び裏面５２に関して直角をなす。
【００３１】
ブロック４０は、第１垂直通路、即ち、貫通穴６２及び第２垂直通路、即ち、貫通穴６４を含む。貫通穴６２、６４は、概して互いに平行で、面５８、６０間に延在する。図５に示すように、貫通穴６２、６４の断面形状は、それらの長さに沿って一様なのが望ましい。貫通穴６２、６４は、それぞれ中心線軸６６及び６８を有する。貫通穴６２、６４の各々の断面形状は、実質的に同一でかつ細長いか若しくは楕円の輪郭、即ち、形状を含む。
【００３２】
各貫通穴６２、６４、特に、それらの軸６６、６８は、前面５０の側端５１及び５３に関して正確に配置される。側端５１及び５３は、それぞれ側壁５４と前面５０及び側壁５６と前面５０との交差部分によって定められる。軸６６は、側端５３及び側端５１間の距離の１/４である。軸６８は、側端５１及び側端５３間の距離の１/４である。従って、軸６６、６８は整列されるか若しくはそれらが側端５１及び５３から離れている距離の合計と等しい距離だけ互いに隔てられる。
【００３３】
貫通穴６２、６４は、裏面５２に向けて前面５０から約１/４の距離で前面５０及び裏面５２の中間に配置されるが、この距離はブロック４０と関連する土木工学及び他の構造的考慮に依存して変更され得る。以下に述べるように、各貫通穴６２、６４内に適合する固定ロッド４６が、裏面５２に最も密接して各貫通穴６２、６４の面とかみ合うとき、ブロック４０への圧縮力が結果的に生じる。力は、概してブロック４０を構成する材料への圧縮力である。従って、構造分析の観点から、ブロック４０の完全性を維持するような方法でブロック４０への圧縮力に配慮するように貫通穴６２、６４が適切に配置されることを保証することを要する。
【００３４】
貫通穴６２には座ぐり穴７０が備えられる。同様に、貫通穴６４には座ぐり穴７２が備えられる。先ず座ぐり穴７０を参照すると、座ぐり穴７０は面５８に定められ、裏面５２から貫通穴６２をおおってその周りに伸びる。座ぐり穴７０は、貫通穴６２及び裏面５２間の通路定め、そこでは伸張部材（以下に述べる）が、ロッド４６のような、要素に対して概して依然垂直のままであるように貫通穴６２内に位置付けられるように伸張部材が配置され得る。
【００３５】
同様な方法で、座ぐり穴７２は、面５８において裏面５２から貫通穴６４の周りに伸びる。望ましい実施形態では、座ぐり穴７０、７２は、すべてのブロック４０につき頂面５８に一様に設けられる。しかし、座ぐりを底面６０又は両面５８、６０に設けることが可能である。ブロック４０は逆さにされ得るので、面５８及び６０は頂及び底位置間で逆さにされ得ることが注目される。要するに、座ぐり穴７０及び７２はそれぞれ貫通穴６２及び６４に関して整列されると共に座ぐり穴を構成する。
【００３６】
望ましい実施形態では、長方形断面を有する通路７４は、ブロック４０を通して貫通穴６２及び６４に平行に頂面５８から底面６０まで伸びる。通路７４は、ブロックの完全性を低下させることなく、ブロック４０の重量及びかさばりを除くために設けられる。それは座ぐり穴７０及び７２を接続する横断座ぐり穴をも同様に与える。通路７４はブロック４０には必ずしも必要ではない。特定の構成と方位及び通路の形状と範囲は、ブロック４０からかさばり及び材料を除くために大幅に変更され得る。
【００３７】
貫通穴６２及び６４の一般的な断面は変化され得る。重要なことには、貫通穴６２及び６４の断面形状が、例えば、貫通穴６２及び６４に挿入される固定ロッド４６に関してブロック４０の横移動を可能にすることは、適切かつ望ましいことである。従って、図示の実施形態では、裏面５２に平行な方向で貫通穴６２及び６４の寸法は、ロッド４６の直径より大きくなるように選ばれる。貫通穴６２及び６４の横方向（前後）寸法は、ブロック４０が定位置から前後に移動できないようにロッド４６の直径により密接して近似される。即ち、貫通穴６２、６４のサイズ及び形状のために、別々のコースで互いに重ねられる各ブロック４０の前面５０は整列状態に維持され得る。結果的に、ブロック４０は内部及び外部的に大きな範囲で調節することはできないが、図１に示す型の壁を建造するとき、ブロック４０は左右に調節され得るのが望ましい。これで、ブロック４０が所望の概して平坦な列をなして保たれるように、保持壁を構成するアッセンブリの平坦な完全性が維持される。左右調節は、ブロック４０間のあらゆる間隙が最低に維持されると共に、以下に述べるように、壁建造物の内外曲率を形成するのに要する各種の調節が可能になることを保証する。
【００３８】
座ぐり穴７０及び７２の深さは可変である。深さは、要素４２、４４が少なくとも面５８の水準以下に維持され得るのに十分であることが望ましく、下方コースのブロック４０上に追加のブロック４０が設置されるとき、上方コースのブロック４０と干渉しないようにするために、要素４２、４４が適切かつ正しく引っ込むようにされる。
【００３９】
図３０及び３１を簡単に参照すると、図２及び５の標準ブロックが製造され得る方法が例示される。典型的に、そんなブロックは、乾式成型技術を用いて対で成型され得る。そこでは、図３０に示す分割線７５のような分割線で、ブロック４０の前面が互いに逆に成型される。次いで、ブロック４０の成型後、ブロック４０を互いに分割又は分離して、図３１に例示するような織り目付き面を現すために、くさび又は大ばさみ（シャー）が用いられ得る。当業者には理解されるように、このような成型操作に関しはモールドには適切なドラッグ（下型）及びドラフト角度が組入れられる。乾式ブロック４０は概して補強されないことが注目される。しかし、乾式成型ブロックは補強繊維を含み得る。金属、概して剛性安定化要素で用いる乾式成型技術によるブロック４０の無補強及び製造について描写されるか若しくは用いられるべきものは先行技術では知られていない。
【００４０】
コーナー及び／又は分割面ブロック
図８乃至図１３Ａ及び図３２乃至図３６Ａは、本発明の改良された擁壁構造のコーナー及び／又はキャップを形成するために用いられ、或いはこのような擁壁における境界や分割面を規定するために用いられるブロックを図示する。図８、９及び１０は第１コーナーブロック８０を示し、このブロック８０は、図１１、１２及び１３のコーナーブロック及び図１３Ａのコーナーブロック１１０と同様であるが、その寸法が異なっている。
【００４１】
図８、９及び１０を参照すると、このコーナーブロック８０は、正面８２、背面８４、仕上げ処理した側面（仕上側面）８６及び仕上げを施していない側表面（未仕上側面）８８を含む。上面９０は底面９２と平行である。これらの面は、実質的に長方体を規定する。正面８２と仕上側面８６とは、ほぼ平坦であり、ブロック４０の表面処理に対して適するか、或いは同一のテキスチュア、色、成分及び形状となるように仕上げられる。コーナーブロック８０は、上面９０から底面９２へ延伸する第１の貫通孔９４を含む。貫通孔９４は概ね円筒形であるが、以下に説明するロッド４６のようなロッドとの協働を容易にするため、漏斗状即ち切頭円錐形部分９６を含んでもよい。
【００４２】
貫通孔９４の断面積は、貫通孔９４に挿入させるように設計されたロッド４６のような適合ロッドの断面積及び形状よりも僅かに大きい。重要なことは、貫通孔９４とこれに協働するロッド４６のようなロッドとの断面形状を概ね一致させて、ロッド４６が貫通孔９４を通じて挿入されたなら、定置されたコーナーブロック８０の位置や方向を変えることがないようにすることである。
【００４３】
面８２、８４及び８６に関する第１の貫通孔９４の位置はコーナーブロック８０の設計における重要な要因である。即ち、貫通孔９４は中心軸９８を含み、この中心軸９８は、面８２、８４及び８６の各々から実質的に等距離にあり、従って図８における間隔ｘ、ｙ、及びｚは実質的に等間隔である。ここでｘは軸９８と面８２との間の距離、ｙは軸９８と面８４との間の距離、ｚは軸と面８６との間の距離である。
【００４４】
コーナーブロック８０は、上面９０から底面９２へ延伸する第２の貫通孔１００を更に含む。第２の貫通孔１００も漏斗状即ち切頭円錐形部分１０４を含んでもよい。貫通孔１００の断面形状は、全体として細長い形状又は長円形であり、且つ面８２、８４、８６及び８８に対して平行なほぼ中心の軸１０２を有する。第２の貫通孔１００の断面の長手方向は正面８２に対してほぼ平行である。軸１０２は側面８８及び正面８２に対して特別な位置にある。即ち軸１０２は正面８２から距離ｗを隔てており、これは図５に示すようにブロック４０の正面５０から軸６６が隔たる距離ｗに実質的に等しい。軸１０２はまた未仕上側面８８から距離ｖを隔てており、これもまた図５に示すブロック４０の正面５０の縁５３から軸６２が隔たる距離ｃに実質的に等しい。貫通孔１００には座堀１０３を設けてもよい。座堀１０３は背面８４から孔１００の周りへ延出する。この座堀１０３は上面９０と底面９２との双方に設けてもよい。
【００４５】
図８に示すコーナーブロック８０についての軸１０２と軸９８との間の距離ｕは、図５におけるブロック４０についての軸６６と軸６８との間の距離ｕに等しい。距離ｕは距離ｖの実質的に二倍である。軸１０２と側表面８８との間の距離ｖは軸９８と側表面８６との間の距離ｚに実質的に等しい。上述した様々なブロック４０、８０及び１１０についての様々な距離の比の相関関係を以下の表１にまとめる。
【００４６】
【表１】
0004119946.tif 000002
【００４７】
図８、９及び１０のコーナーブロック８０は、正面８２の寸法がブロック４０の正面５０に実質的に等しいコーナーブロック８０であることに留意されたい。図１１、１２及び１３は代替的なコーナーブロック構造を示しており、ここでは正面及び仕上側面が、図８、９及び１０におけるコーナーブロック８０のそれとは寸法が異なっている。
【００４８】
図１１、１２及び１３を参照すると、コーナーブロック１１０は、正面１１２、背面１１４、仕上側面１１６、未仕上側面１１８、平行な上部と下部との面１２０及び１２２を含む。このブロック１１０は、ブロック８０と同様な長方体形状を呈する。ブロック１１０は第１貫通孔１２４を含み、この貫通孔１２４は、先述した第１貫通孔９４と実質的に同一の形状及び形態を有し、切頭円錐形部分１２６及び軸１２８を含む。同様に、ブロック１１０は、軸１３２を有する第２の貫通孔１３０を含み、この貫通孔１３０は、第２の貫通孔１００と実質的に同一の形状及び形態を有すると共に、切頭円錐形即ち漏斗状部分１３４も含む。また、座堀１３１を上部と下部との面１２０、１２２に設けてもよい。正面１１２及び未仕上側面１１６は、正面５０に関して先述したように、所望の方式で仕上げられる。正面１１２は図１３に示すように高さｈとしての高さ寸法を有し、これは図７におけるブロック４０の高さｈ及び図１０に示すブロック８０の高さｈに実質的に等しい。
【００４９】
ここでも軸１２８は図１１に示すように面１１２、１１６及び１１４から等距離にある。従って、面１１２から軸１２８への距離ａは面１１４から軸１２８への距離ｂに等しく、また面１１６から軸１２８への距離ｃにも等しい。軸１３２は正面１１２から距離ｗだけ離間しており、ここでも、その距離ｗは図５に示すブロック４０の面５０からの軸６６の間隔の距離ｗに等しい。同様に、軸１３２は未仕上側面１１８から距離ｖ離間しており、図５に示すブロック４０に関連した距離ｃに等しい。図１１においてｄにより示される軸１３２と軸１２８との間の距離は、軸１３２と面１１８との間の距離ｖに、軸１２８と仕上側面１１６との間の距離ｃを加えたものに等しい。これらの寸法関係も表１に記載されている。
【００５０】
図１３Ａは反転可能なコーナーブロックの形態を示しており、これは貫通孔９９、１０１を含む。その貫通孔９９、１０１はＬ字状断面を有する形状であって、恰も図１１の実施例の貫通孔１２４、１３０の組み合わせとして機能するようにされている。従って孔９９及び１０１の各々は、図１１のコーナーブロックの軸１２８に相当する軸１２８ａと、図１１のコーナーブロックの軸１３２に相当する第２の軸１３２ａとを含む。
【００５１】
本発明の目的の範囲内にある他の代替的ブロック構造も可能であり、幾つかの変更例及び代替例を以下に説明する。しかしながら、上述したブロック４０及びコーナーブロック８０、１１０は、本発明の好適実施例を実施するためには原則的にモジュラーブロックである。
【００５２】
補強要素
擁壁構像の第２の主要な構成要素は、ブロック４０、８０及び１１０（特に基本ブロック４０）と相互作用して協働する保持要素である。図１４乃至１７は様々な補強要素を示す。先ず図１４を参照すると、第１の平行補強バー１４０及び第２の平行補強バー１４２からなる補強要素４２が示されている。バー１４０及び１４２の各々は、その内端においてそれぞれ形成されたループ１４４及び１４６を有する。典型的には、バー１４０及び１４２は、ループ１４４、１４６を形成するように曲げ加工されており、このループ１４４、１４６の端部はバー１４０及び１４２へ戻されて溶接されている。
【００５３】
重要なことは、各ループ１４４及び１４６は、バー１４０及び１４２により形成される引張アーム１４８及び１５０へ接続されていることである。引張アーム１４８と１５０とは互いに平行であり、その長さは先述した何れかのブロックの背面の先へ突き出る長さとされている。ブロック４０の背面よりも背後に位置する横材１５２は、アーム１４８及び１５０をそれらの適切な間隔及び整合を保持するように接続する。第２の横材１５４は、アーム１４８及び１５０やバー１４０及び１４２をほぼ平行に保持するようにする。
【００５４】
多くの横材１５６がバー１４０及び１４２の長さ方向に沿って設けられている。横材１５６の間隔は、バー１４０及び１４２の外端に沿って概ね均一であることが好ましい。均一間隔の横材１５６は、更に詳細に後述するように機械的補強土構造の受動又は抵抗領域に協働している。ひいては横材１５６は所謂受動的又は抵抗領域において非常に近接する間隔で互いに均一に離間していることが好ましい。しかしながら、これは限定的な特徴ではないが、均一な間隔は壁技術者には好ましいであろう。この場合、バー又は横材１５４及び横材１５２は、近接して離間している必要はなく、またバー１４０及び１４２が実質的に平行配列に保持されている限りは、それほど長くする必要はない。
【００５５】
好適実施例においては、ちょうど二つのバー１４０及び１４２を必要とするだけか、又は設けるだけでよいことに留意されたい。しかしながら少なくとも一つの長手部材（例えばバー１４０、１４２）を有する補強要素を使用できる。図１４に関して図示及び説明した補強要素は摩擦作用を期待するものであるが、むしろ好ましくは、締固めた土とのアンカー作用を期待できるように構成してもよい。よって横材１５６はアンカーの集合体として働くように構成できる。好適実施例におけるバー１４０及び１４２と横材１５６とは、締固めた土との摩擦作用をなす。
【００５６】
図１５は更なる代替的補強要素４４の構成要素を示す。図１５を参照すると、特に図示された要素はハーネス又はコネクタ１６０を含み、これは第１引張バー即ちアーム１６２及び第２引張バー即ちアーム１６４を含む。アーム１６２及び１６４は互いにほぼ平行であって、横材１６６により連結されており、この場合、横材１６６は、横材１１６をそれに接して保持する円筒状管状部材１６８も含む。代替的に図１５Ａに図示されたように、Ｃ字状クランプ部材１６７を横材１６６上に嵌合させてもよい。
【００５７】
平行引張アーム１６２及び１６４の各々はループ１７０及び１７２で終端する。これらループ１７０及び１７２は、図１５に示すように互いに対向する関係で整合して配置されている。ループ１７０及び１７２は、それぞれ溶接部１７４及び１７６にてアーム１６２及び１６４へそれぞれ溶接されている。
【００５８】
ハーネス又はコネクタ１６０は、更に詳細に説明するように複数のブロック（特にブロック４０）と協働する。その詳細は図１６及び１７に部分的に示されている。先ず図１６を参照すると、補強要素４２が示されている。図１７は補強要素４４を示す。図１６を参照すると、要素４２、更に詳しくは引張アーム１４８及び１５０は、ブロック４０の座堀７０及び７２内に配置されており、且つ貫通孔６４及び６２上にそれぞれ位置するループ１４４及び１４６を有している。
【００５９】
図１７を参照すると、補強要素４４の部分を含むコネクタ１６０は、ブロック４０の座堀７０及び７２内へそれぞれ嵌合されるアーム１６２及び１６４を含み、そのアーム１６２及び１６４は貫通孔６２及び６４上にそれぞれ嵌合するループ１７０及び１７２を有する。コネクタ１６０はブロック４０内に充分に窪められて、その上面５８の平面を低くすることに留意されたい。同様に、要素４２の引張アーム１４８及び１５０は座堀７０及び７２内に充分に窪められて、平面を下げるか、或いはブロック４０の上部表面５８の平面よりも高くならないようにされている。
【００６０】
再び図１７を参照すると、要素４４はジオテキスタイル材料を更に含み、この材料はストリップ１８０のような重合体格子を含む。そのストリップ１８０は、概ね可撓であって、その延伸した長さは管又は円筒１６８或いはクランプ１６７に対して、その周囲に巻回されているか、或いはその上に嵌合されて、ストリップ１８０の対向端がブロック４０から外側へ離間するようにされている。図１６は概ね剛性の要素を示す。図１７は概ね可撓性の要素を図示する。何れの場合も要素４２及び４４は、既に説明したようにブロック４０と協働する。
【００６１】
コネクタ
図４に示されているのは典型的なコネクタであり、これは補強ロッド又はバー、通常は鋼製補強バー４６を含み、このバーは略円筒形状であり、ループ（例えば図１７のループ１７０及び１７２）とブロック４０の貫通孔６２及び６４とを通じて嵌合することにより、要素４４と、更に詳しくはブロック４０に協同的に係合したコネクタ１６０との保持を支援する。好適実施例として図示されたロッド４６は、先述したように円筒形状である。しかしながら、所望の寸法のものが使用される。本発明の実施の目的で推奨される鉄筋補強バーは、コーナーブロック８０、１１０の特に構成された第１の貫通孔９４、１２４と協働するようにも使用される。例えば図１２に示されたコーナーブロック１１０の第１の貫通孔１２４は図４に示されたロッド４６のようなロッドに協働する。ロッド４６は、少なくとも二つの隣接するブロック４０を通じて突出するのに充分な長さとされている。その少なくとも二つの隣接するブロック４０は、その一方が他方の上に積層されているので、ブロック４０に相互作用する要素４４からの圧縮合力は、壁を構成する隣接する段のブロックに分散される。
【００６２】
図４Ａに示されるように、ロッド４６は、その中間点に溶接又は取り付けられた小さなストップ又は横材４７を含んでもよい。横材４７は、ロッド４６が要素４２、４４に協働して位置している一つのブロック４０の上方及び下方へ複数のブロック４０を係合させる位置にロッド４６を正しく位置させて保持させる。従ってロッド４６は貫通孔６２、６４内へ落下したり滑落することがない。
【００６３】
擁壁システム
図１８乃至図２９は擁壁を与えるための上述した構成要素の組み立て方式を示す。先ず図１８を参照すると、本発明の構成要素を用いる壁の区画又は部分を規定するモジュラーブロック４０及びコーナーブロック８０の三段の配列が示されている。各段はブロック４０の重ね合わせていることに留意されたい。更にコーナーブロック８０の正面寸法はモジュラーブロック４０の正面寸法に等しいことにも留意されたい。
【００６４】
図１９は図１８の壁の断面図であって、図１８に図示された壁の第１段を形成するコーナーブロック８０とモジュラー基礎構築ブロック４０との互いに関する配置関係を示す。剛性補強要素である要素４２が、ブロック４０との相互作用のために共同して配置されていることに留意されたい。好適実施例においては、補強要素４２はモジュラーブロック４０の各々に、且つ一つごとに関連して用いるために設けられており、要素４２は二つのみの平行補強バーを含む。バーに取り付けられた多数の補強バー又は特殊なアンカー要素を有しえる構造を与えることが可能である。好適実施例は費用の節約の目的で二つのみのバーを用いており、しかもこの二つのバー構造は、要素４２における張力及び固定力の効率的な分散を与え、捻り力を相当に削減する。
【００６５】
図２０は、図１８に図示された壁の縁又は隅を規定する目的でコーナーブロック８０を配置し得る方式を示す。即ちブロック８０（先述したように非常に対称なブロックである）は、図１９及び図２０に示す位置の間に置き換えることができる。またコーナーブロック８０は、以下に図２７乃至図２９に関して図示及び説明するように更に向き付けてもよい。可撓な重合体又はジオテキスタイル材料を利用する補強要素である要素４４は、図２０において規定又は図示されるブロック４０の段即ち層に関して用いられるものとして示されている。
【００６６】
図２１は図１８の壁構造の側断面図である。この壁は、このような機械的補強土構造の所謂抵抗領域に横要素１５６が保持されるように設計されていることに留意されたい。当業者には周知のように、このような壁の構造とその解析は抵抗領域１９０及び能動領域１９２の規定を要求する。要素４２は、抵抗領域における横部材１５６が好ましくもより多数にされて、要素４２に関連する固定特徴の効率を向上するように設計されている。しかしながら、これは限定的な特徴ではない。図２１は重合体格子材料１８０の使用も示す。要素４２及び／又は要素４４の全ては、締固められた土又は締固められた地面に、先に参照した従来技術特許に説明された方式で保持されていることに留意されたい。このような構造のために利用可能な設計計算の説明については、本明細書に引用により組み込まれたAmerican Association of State Highway and Transportation Officials "Standard Specification for Highway Bridges" 第１４改訂版（１９９０、１９９１）を参照できる。
【００６７】
図２１においては、要素４２又は４４のような補強要素の配置がブロック４０、８０の各段且つ全ての段ごとに関連して示されている。しかしながら実際には、補強要素４２及び／又は４４は、個別の層又は段、例えばブロック４０、８０の第２、第３又は第４段毎に、及び／又は個別のブロックにおいて、良好な設計原理に従って水平な例えば第２又は第３ブロック毎に関連して使用できる。しかしながら、これは各段及び全ての段ごと、各ブロック４０、８０及びブロック４０、８０ごとに関連する補強要素４２、４４の使用を妨げるものではない。従って、機械的補強土補強は、可能なブロック位置ごとに補強要素を配する必要性がない。繰り返すが、これに関する計算は、ここに参照したような技術分野における当業者であれば、周知の技法を用いて与えることができる。
【００６８】
構築の際に、ブロック４０の最初の段は所望の基礎２００に沿って配置され、この基礎２００は砂利、敷土、コンクリート又は他のレベル出し材料から構成される。次いで盛土２０２をブロック４０の背後に配置する。ここで補強要素４２のような要素を、上述したブロック４０、８０内に特に設けた座堀７０、７２内に置く。次いで要素４２をブロック４０に関して定位置に保持するようにロッド４６を挿入する。上述したようにロッド４６は、ブロック４０の少なくとも二つの隣接する段に相互作用させねばならない。シーラント、繊維又は他の材料（図示せず）の層をブロック上に配置してもよい。続いて、ブロック４０の更に一つの層をロッド４６上に配置する。付加的な盛土又は裏込め２０２をブロック４０の背後に埋め戻し、壁を構築するようにこのような手順を繰り返す。
【００６９】
実際には、構築中に座堀７０、７２を上向きではなく、下向きに向き付けるのが好ましいことが判っている。この向き付けは、施工中に座堀７０、７２に岩屑などが入らないように保持させる。
【００７０】
図２２及び２３は、図２２における可撓補強要素４４と図２３における剛性補強要素４２とを用いる構造の縦断面図である。各例においては、要素４２及び／又は４４は、上述したようにブロック４０、ロッド４６、及び締固められた土２０２と協働する。
【００７１】
次に図２４及び２５を参照すると、既に指摘したように、ブロック４０における貫通孔６２、６４は伸長した断面形態を有する。このような伸長は、ブロック４０の互いに関して横方向への微調整移動を可能にして、ブロック４０の製造上の公差を許容する。ブロック４０が先細り側面５４、５６を含むように規定されていることも既に指摘した。側表面５４、５６が先細りなので、図２４に示したような外側湾曲又は図２５に示したような内側湾曲を有する壁を形成することが可能である。各例においては、ブロック４０のみならず、補強要素４２、４４及びロッド４６の組立て方式及び協働相互作用は、平坦な前面を有する壁に関して先述したのと実質的に同様である。
【００７２】
図２６は本発明の構造の多用性を示す。様々な形状、寸法及び高さの壁を構築し得る。本発明の組み合わせによれば、壁の正面は実質的に平坦にすることができ、基礎から実質的に垂直に築き上げられることに留意されたい。壁が高くなるにつれて、壁を後退させたり傾かせたりすることも可能であるが、このような要求は本発明の擁壁システムには不要である。また基礎は段状に重ねてもよい。またブロック４０はドライキャストとしてもよく、これはジオテキスタイルと対照的に、要素４２のような剛性補強要素との組み合わせに有益である。
【００７３】
図２７、図２８及び図２９は、図２６に図示された形式の通常の壁におけるスリップジョイントを与えるコーナーブロックの使用を示す。図２７に示すように、スリップジョイント又は垂直スロット２１０は壁区画２１２と２１４との間に規定されている。壁２１２及び２１４の断面図が図２８及び図２９に図示されている。右方向か左方向の何れかに転向し得るコーナーブロック８０は、所望又は要請に応じて互いに離間させても近接して配置させてもよいことが明らかであろう。ジオテキスタイルその他の可撓材料２１６はブロック８０の後側に沿って配置でき、次いで裏込め２０２が可撓材料２１６に載置される。
【００７４】
図２９は、材料の次の段のための可撓遮蔽体２１６及びブロック８０を含むこれらの要素の配置を示す。コーナーブロック１１０についてのみならず、コーナーブロック８０の第１の貫通孔９４は、各段が積まれると互いに常に垂直に整合することに留意されたい。従ってロッド４６は、堅固に保持されたコーナーを形成するように第１の貫通孔９４をまっすぐに通過でき、その堅固に保持されたコーナーは、ブロック４０に関連する貫通孔６２、６４又はコーナーブロック８０に関連する第２の貫通孔１００内に築かれる調整用の遊びを含まない。この貫通孔９４の位置決めは上述した組み立てを容易にする。ブロック８０はその製造中に設けられた分割ラインを包含させてもよい。ライン８１は、ブロック８０を容易に砕いて、図２８に示すように及びブロック８０の内側半分８３を取り除くことを容易にする。
【００７５】
図３２、３３及び３４は複数のコーナーブロック８０を打ち込む可能な方法を示す。複数のコーナーブロック８０は、４つのコーナーブロックを含む１つのアセンブリに打設することができ、このとき型枠は、コーナーブロック８０の面８２、８５が分割ライン１８２、１８５に沿って対向するように設けられているので、図３２に示すように４つのコーナーブロック８０を同時に打設でき、或いは図３４に示すように２つのコーナーブロック８０を打設できる。次いで図３３に示すように、複数のコーナーブロックは、分割ラインに沿って４つ（又は２つ）のコーナーブロック８０を与えるように互いに分割される。
【００７６】
補強要素４２、４４はまたコーナーブロック８０、１１０の座堀１０３、１３１と協働する。実際上、このような構造は壁のコーナーを安定化するために提案されている。このように要素４２、４４は、コーナーブロック８０、１１０の座掘１０３、１３１及びモジュラーブロック４０の座掘７０又は７２と同時に協働する。上述した構成要素及びそれらの組み立て方式が本発明の好適実施例を構成する。標準モジュラーブロック４０のみならず、コーナーブロック８０は、様々な形式の補強要素を有し、且つ材料の計算に様々な解析を使用する擁壁に組み合わせられることに留意されたい。即ち補強要素は、締め固めた土等に対して摩擦作用のみならずアンカー作用も有する。先述した補強要素の他にも多種多様な補強要素が存在しており、これらも本発明との組み合わせに有益である。
【００７７】
例えば補強要素は、締め固めた土の中へ延伸するように設計された少なくとも２本の平行バーを含む補強バーのマットを含んでもよい。垂直ロッド４６と協働するこれらのバーの端部にループを形成するのに代えて、そのようなロッドの端部を単に直角に曲げることにより、ブロック４０を介して貫通孔６２、６４に嵌合させてマット又は補強バーを定位置に保持することもできる。更に、ロッド４６を貫通孔内で長手引張アームに直接に溶接してもよく、このようにすると、引張アームの端部にループを形成する必要がない。
【００７８】
２本の引張アーム即ち２本の補強バーは好適実施例ではあるが、多数の引張アームを用いてもよい。更に、先に指摘したように、コーナーブロックの相対的なサイズを変えることもでき、上述した寸法を変えてもよい。ロッド４６の形状も変えることができる。ロッド４６のアタッチメントも変更できる。
【００７９】
また、キャップブロック２５０は図３５及び３６Ａに示すように設けられる。このようなブロック２５０は、モジュラーブロック４０の水平断面形状と同様にすることができるが、横方向の寸法が長く、また対をなして貫通孔６２、６４に整合する４つの貫通孔２５２を備える。次いでキャップブロック２５０は、図３５に示すように向きを逆にしてもよく、ロッド４６に孔２５２の適宜な対を嵌合させる。孔２５２内のモルタルはキャップブロック２５０を所定位置に係止する。キャップブロック２５０も図３５に示すようにコーナーを形成するように半分づつの分割片２５４、２５６へ分割できる。代替的なキャップブロック構造は、最上段のブロック４０から突出するロッド４６の端部を収容する細長い孔を下面に有する矩形状キャップからなる。その他の構造も可能である。
【００８０】
補強要素の更に他の代替構造を図３７に示す。ここでは引張アーム２６０、２６２と横材２６４とがクランプ２６６と協働し、このクランプは金属ストリップ２７０を保持するボルト２６８を受ける。ストリップ２７０は摩擦ストリップ又はアンカー（図示せず）に繋がれるように設計されている。
【００８１】
図３８は他の代替構造の補強要素２８０と、そのブロック４０への接続を示す。要素２８０は横材２８２の付いた平行な引張アーム２８１、２８３を含み、その横材は座掘７０と７２との間に通路７４により形成された空間に嵌合する。通路７４を形成する壁の形状は、補強要素２８０とブロック４０との相互作用を最大にするように形成される。
【００８２】
図３９は更に別の代替構造を示し、ここではブロック４０は、内部通路７４からブロック４０の背面５２に通じる通路２９０を含む。ストリップ２９２のような補強要素は通路２９０に挿入されて、ストリップ２９２の開口を通じてピン２９４により保持される。ストリップ２９２はアンカー（図示せず）又は摩擦ストリップへ連結される。ここでもロッド４６がブロック４０の接続に用いられる。
【００８３】
図４０及び４１は、アンカー型式の補強要素と組み合わせるブロック４０を含む壁構造を示す。アンカー型式の補強要素は、先述した要素４２に似た両端が係止される引張要素３００を含む。要素３００はその両端で垂直ロッド４６によりブロック４０に堅結される。ブロック４０は、外側壁３０２と、要素３００により連結された内側アンカー３０４とを形成する。アンカー３０４は締め固めた土３０５の中に埋設される。外側壁３０２の内面には、土の侵食を防止するために繊維質のライナーを裏打ちしてもよい。この壁構造のための設計は、先述した基本的構成要素を使用し、特に低い壁構造に確かな利点を有する。
【００８４】
図４２、４３及び４４は、補強要素３０２及びそのブロック４０への連結の別の代替構造を示す。これら図４２、４３及び４４に機能的に関連する図３８も参照する。図４２を参照すると、第１と第２の平行アーム３０４、３０５を有する補強要素３０３とブロック４０とを示し、そのアーム３０４、３０５は連続する補強バーから形成されて、端部にループ３０６を形成し、このループは、連結された座掘７０と７２との間に形成されたリブ３０８に嵌合する。これは図３８に示された構造に類似する。平行アーム又はバー３０４、３０５は、トラス型構造をなすように、これらのバー３０４、３０５に対して角度をなす横材３０７及び３０９により互いに連結されている。アーム３０４、３０５の端部は、横方向に垂直な横材又は横ブレース３１０により連結してもよい。
【００８５】
図４３を参照すると、更に別の代替構造が示されており、ここでも補強要素３１２が平行アーム３１４及び３１４を有しており、ブロック４０に形成されたリブ３２０と協働する略Ｖ字状の端部３１８を有する対称型の閉ループを形成している。横材３２２はトラス型形状を形成するようにアームに対して角度をなすことに留意されたい。更に、端部３１８の反対側の端部３２８もＶ字状端部であるので、補強要素３１２全体がほぼ対称形であることにも留意されたい。補強要素３１２は所望により対称形にも非対称形にもすることができる。
【００８６】
図４４は、図４３の変形例を示し、ここでは補強要素３２４はアーム３２６、３２８を含み、これらのアームは、先述した方式で、ブロック４０に配設されたロッド４６と協働する。横材３２８も、図４２及び図４３に示す構造に類似した概ねトラス形状パターンを形成するように構成されている。このように補強要素を相当に変形することができ、その場合も先述したようにブロック４０及びコーナーブロックと協働する比較的に剛性の補強要素が与えられることが理解される。
【００８７】
図４５及び４６は先述したキャップブロック構造の代替例を示す。図４５において、キャップブロックの底面は、正面ブロック４０と実質的に同一の形状である。そのためキャップブロック３４０は、先述した方式で補強要素と協働するように設計された座掘７０及び７２を有する。しかしながら、キャップブロック３４０を通る通路は、ブロック全体を通るわけではない。即ち図４６に示すように、キャップブロック３４０は先述したように座掘７２及び７０を有する。補強バー４６６のための通路、即ち通路３４２及び３４４は、ブロック３４０を部分的に通るように延伸する。同様に、通路３４６は、キャップブロック３４０を部分的に通るように延伸する。この方式においては、キャップブロック３４０は状面に開口を有しないキャップを形成する。図４５及び４６に示されたようなキャップブロック３４０は、テーパー形状であるので、壁の頂部に置かれたときに側部に隙間ができる。従って、図４５に破線で示すように、キャップブロックを長方体状に成形又は打設することが適切であり望ましい。これに代えて、キャップを形成するブロック３４０の間の空間をモルタル又は盛土又は他の充填物で充填してもよい。
【００８８】
代替補強要素及び組み合わせ
図４７を参照すると、代替補強要素がプレキャスト壁パネルとの組み合わせで示されている。特に、先述した要素と同様な補強要素４００は、第１の水平延伸部４０２と、第２の共面水平平行延伸部４０４とを含む。延伸部４０２、４０４は、それらに溶接された横材４０６によって互いに離間されている。離隔された一連の横材４０６は、先述した補強要素の構造のように設けられている。補強要素４００の内側端４０８及び４０９も先述したような閉ループ４１０及び４１２を形成する。しかしながら、これらのループ４１０、４１２は一方が他方の上に配置されて、垂直通路又は開口４１４を形成している。従って延伸部４０２、４０４は、互いへ向かって曲げられて、ループ４１０、４１２の一方が他方に重なって開口４１４を形成する。
【００８９】
パネル４１６のようなプレキャストパネル又はブロック部材その他は、突出タブ４２０及び４２２としてパネル４１６の後側から突出する打込み設置接続部材４１８を含み、突出タブ４２０及び４２２は、それらを通る整合垂直通路４２４及び４２６を含む。ループ端４１０及び４１２に関連した通路又は開口４１４は、通路４２４及び４２６に整合している。ボルト４２８は整合された通路４１４及び通路４２４、４２６へ垂直に挿通されて、ナット４３０がボルト４２８の螺子端に取り付けられている。ボルト４２８及びナット４３０が通路４１４又は通路４２４、４２６を通じて不意に落下しないように、ワッシャ４３２のようなワッシャをボルト４２８へ配置してもよい。このようにして補強要素４００の部材４１８への取り付けが達成される。
【００９０】
図２におけるような先述の形式のブロック４０から延出する図３７における要素２６６のようなストリップ又は要素へ、この同様な補強要素４００を取り付けてもよい。従って、プレキャストパネル、ブロック、ワイアグリッド及び他の化粧要素（表面要素）をこれらに限定することなく含む様々な化粧要素に組み合わせて、補強要素を使用することができる。
【００９１】
図４８を参照すると、補強要素の他の代替形態が示されている。図４８においては、補強要素４５２は、離間した略平行な水平延伸部又はレバー(rebar)４５４及び４５６を含む。延伸部４５４、４５６は、離間した略平行な水平横材４５８、４６０及び４６２により互いに離間されて且つ一体的に連結されている。横材４５８、４６０及び４６２は、代表的にはロッド又は補強バーであり、水平バー又は細長いバー４５４及び４５６に溶接されている。横材４５８のような横材は細長いバー４５４及び４５６を越えて横方向に延伸させられるので、図４８における端部４６４及び４６６のような突出端部が形成される。延伸部４５４及び４５６は連結されるか、さもなければ、ループ４６８を形成する単独の接続された補強バーを構成する。図４８におけるループ４６８は補強バーにより形成され、図４８に示すように、その補強バーは曲げられてそれ自身に交差する。しかしながら、例えば平行延伸部４５４、４５６を冠部又は横材により連結することにより、ループ４６８開放端を持たせることも可能である。
【００９２】
補強要素４５２は、パネル４７０へ取り付けられており、このパネルは、図４７に示した実施例における接続構造と同様な方式で打込み設置連結要素４７２及び少なくとも一つの突出タブ４７４を有する。従ってボルト４７６は少なくとも一つのタブ又は要素４７４と協働する。また図４８の補強要素４５２は、図２に示した説明した形式のブロック４０との協働係合のために、図３７における要素２６６のようなストリップ又は要素と組み合わせて用いてもよい。
【００９３】
図４９は図４７に示した実施例の他の代替例又は変形例を示す。図４９を参照すると、補強要素４００は、互いに当接又は隣接するループ状端部４１０及び４１２を有して設計されており、ボルト４２８及びそれに協働するナット４３０は、タブ４２０及び４２２と、これらのタブの間に保持された端部４１０及び４１２とを通じて嵌合する。
【００９４】
この配置によれば、ループ状端部４１０及び４１２とそれに協働するボルト４２８及びナット４３０の芯合わせは、タブ４２０及び４２２が図４７におけるワッシャ４３２のようなワッシャの役割を果たすので、図４７に示したものに比べて若干単純化される。このアセンブリの好適実施例には幾つかの部品が必要になる。
【００９５】
図５０乃至５２は、補強要素４００のような補強要素を連結部材４１８のような連結部材と、更に詳しくはタブ４２０及び４２２とへ連結するための手段及びアセンブリの代替的な変形例又は構成例を示す。即ち図５０を参照すると、補強要素４００は、連結要素４１８と更に詳しくはタブ４２０及び４２２とに、これまた金属材料からなるＵ字状締結具又はクリップにより取り付けられているか、或いは協働する。例えばクリップ４８０は図５１に示すような鋼製Ｕ字状又は馬蹄状部材としてもよい。クリップ４８０は、弧状の又は湾曲した冠部４８６により接続されてほぼ平行に離間した脚４８２及び４８４を含む。
【００９６】
クリップ又は締結具又はコネクタ４８０は、図５０に示すようにループ状端部４１０及び４１２と、タブ４２０及び４２２における開口又は通路４２４及び４２６とを通じて係合する。締結具４８０の好適な最終的向きは図５０に示されている。図５２は、補強要素４００を突出タブ４２０及び４２２に協働して位置決めして、通路４１４を通路４２４及び４２６に整合させる方式を示す上面図である。図５３は、締結具又はコネクタ４８０により要素４００を部材４１８へ連結するときの第１段階を示す。ここでコネクタ４８０の脚４８２は関連する通路４１４と通路４２４及び４２６とを通じて初めに挿入される。次にコネクタ４８０を図５３に示される位置にとどめておくか、或いは図５０の形態を呈するように更に操作する。このコネクタ４８０の形態も、組み立てを容易にするように変えられる。例えば図５３に示されるよりも更にＵ字状にしてもよい。また冠部４８６は平坦又は更に弓状にしてもよい。多種多様な形状のクリップ４８０を設けることができる。
【００９７】
図５４は補強要素の更に他の変形例を示す。補強要素４９０は、図５４及び図５５に示すように、ほぼ平行水平に細長く延伸する補強部材、バー又はロッド４９２及び４９４からなる。部材又はロッド４９２と４９４とは、上述した方式で横部材又は横材４９６によって互いに離間して連結されている。ロッド又は細長い部材４９２と４９４とは、典型的には約２インチ（約５ｃｍ）離間している。
【００９８】
実施例に示されるように、ロッド４９２及び４９４は平坦板４９７へ溶接されている。平坦板４９７は概ね矩形状であり、ロッド４９２及び４９４は、板４９７の横方向に平行に離間した縁に溶接されている。板４９７は、一端へ通じる通路又は開口４９８を含む。板４９７は、現場打ち保持要素５０２の平行に離間した突出タブ５００及び５０１を通じてボルト４９９により取り付けられる。保持要素５０２は、プレイグジスティング(pre-existing)プレキャストコンクリート化粧パネル５０３に現場打ちされる。次にボルト４９９はナット５０４によって定位置に保持される。
【００９９】
図５４及び５５に示す補強要素４９０の形態も、アタッチメント要素（例えば図３７の要素２６６）と組み合わせて利用してもよい。その要素２６６は上述した形式のブロック４０と協働する。板４９７も図３９に示された方式でブロック４０へ連結され、この場合、板４９７はスロット２９０を通じてピン２９４により支持される。この補強要素４９０も、パネル（例えばパネル５０３）、ブロック（例えばブロック４０）及びワイア化粧パネルを含む様々な形式の化粧要素と組み合わせて利用してもよい。
【０１００】
図５６及び図５７は補強要素の代替構造を示しており、これは図５４及び図５５に示された形式の変形例である。図５６及び図５７の変形例は、パネル、水平バー又はロッド５１０及び５１２を含む。そのロッド５１０と５１２とは、横材（例えば横材５１４）によって互いに離間されている。板５１６は、ほぼ平坦な板であり、上方へ突出する離間した平行なリブ５１８及び５２０を含む。リブ５１８及び５２０は代表的には横リブであり、これは板５１６の対向側５２２と５２４との間を接続する。この方式では、平行な細長いロッド５１０及び５１２は図５７に示されたようなリブ５１８及び５２０へ溶接される。板５１６は貫通通路５２６も含む。例えば図５４、５５、３７又は３９に示したような方式で、通路５２６は、図５６及び図５７に示される補強要素を壁パネル、ブロック、ワイヤ化粧要素及び他の要素へ取り付けることができる。
【０１０１】
図５８は壁パネル５３０を示しており、これはタブ又は取り付け板構造５３２が内部へ打ち込まれたプレキャスト壁パネルである。図５９に示すように、板５３２は、平坦タブ部分５３４及び翼部分５３６及び５３８を含み、これらはパネル５３０内に打ち込まれる。板５３４の貫通通路５４０は、先述した補強要素４００のループ状端部４１０及び４１２の取り付けのために締結ボルト５４２を受けることができる。ナット５４４がボルト５４２に螺合され、またワッシャ５４６及び５４８がコネクタ５３２への補強要素４００の保持を支援する。
【０１０２】
図６０は、安定化要素４００に連結するために用いるプレキャストフェーシングパネルの代替構造例を示す。このように、現場打ちパネル又はプレキャストパネル５５０は、現場打ちパネル又はプレキャストパネル５５０から延伸する対向端部５５，５５６を有するメタルストリップ５５２を含む。端部５５４，５５６はそれぞれ、図５８に関して説明したものと同じ方法でウォールパネル５５０に取り付けた安定化要素４００を保持するボルト５４２を受けるために用いる貫通路を含む。
【０１０３】
図６１と６２は、安定化要素を例えばプレキャストウォールパネルに取り付けるための連結例と共に安定化要素の別の代替構造例を示す。これらの図に関し、従って、安定化要素は第１及び第２の平行に離間したロッド又は補強筋５６０，５６２を含み、これらの補強筋は長手方向に延伸し、土の中にほぼ水平に延伸するように設けられている。補強筋５６０，５６２は、例えば、交差部材若しくは交差筋又は交差ロッド５６４によって連結されている。離間した各水平筋５６０，５６２の各端部に垂直ループを設けている。即ち、筋５６２は垂直ループ５６６を含む。垂直ループはこのようにロッド５６２の両端を曲げ加工して閉鎖ループを形成することによって成形されている。閉鎖ループは、ロッド５６２の端部の重なり接点５６８にて溶接することとしてもよい。
【０１０４】
ロッド５６２の各端部とロッド５６４の各端部は説明する方法で形成される。さらに、プレキャストウォールパネル５７０は現場にてそれに埋め込まれるロッド５７２，５７４を含む。ロッド５７２，５７４はまたパネル５７０から突出し閉鎖ループ５７６として形成される。ここでも、閉鎖ループがそれ自身上に折り曲がり、あるいは重なり点５７８を有する場合は、確実に良好な連結を得るためにロッドを溶接することとしてもよい。ループ５６６と５７６を次ぎに整合させてタイバー又は交差部材５８０を整合させたループ内に挿入する。このように安定化要素５６０を連結部材５７２，５７４に連結するために交差部材５８０を用いることができる。さらに、同様に交差筋５８０を用いて安定化要素５６０同士連結することができる。本実施例において示す交差筋５８０はまっすぐな交差筋部材であるが、そういったコネクタの種々の組み合わせを用いることもできる。例えば、交差筋５８０は、脚とクラウンを備える筋を構成することもできる。交差筋は、ループ５６６と５７６のいずれか又は両方の中に挿入された後に互いにその上に折り曲げられる脚を有することができる。図示のように、多数の安定化要素５６０を重ね継ぎ手にて取り付けることができる。安定化要素５６０をまた、ブロック及びワイヤーフェーシング要素を含むその他の種々のタイプのフェーシング要素に連結することができる。
【０１０５】
次に、本発明の更に別の態様を示す図６３に言及する。この態様において、フェーシングブロック７００は正面７０２と、１点に向かう側部壁７０４，７０６と、背面７０８を含む。先に説明したように正面７０２に表面加工等を施すことができる。一連の溝、スロット又は座ぐり７１０，７１１，７１２が平行に配列されて正面７０２の近くから背面７０８まで延伸している。座ぐり７１０，７１１，７１２は平行であり、図６４において底面７１４内に、かつ、図６４において上面７１６内に形成されている。座ぐり７１０，７１１，７１２はこれらにほぼ直角かつ隣接し、正面７０２に平行な溝、スロット又は交差座ぐり７１８によって相互に連結されている。垂直貫通孔７２０，７２２はブロック７００を貫通するように形成され交差座ぐり７１８内に延伸する。
【０１０６】
壁の築造において、一連のブロック７００は水平な多重層に配列される。ブロック７００はこのように、一層の上に多層を重ねた水平な多重層として形成される。ブロック７００は互いにオーバーラップすることが好ましい。すなわち、垂直方向に隣接するブロック７００は互いにオーバーラップする。貫通孔７２０，７２２は、側部エッジ間の正面の幅寸法の１／４に等しい距離だけ正面７０２の垂直側部エッジから内側に設けられている。このように、貫通孔７２０，７２２は、垂直方向に隣接し互いにオーバーラップしたフェーシングブロック７００を連結するために、図６４に示すように連結ピン又はロッド７２４を受ける通路として機能することができる。
【０１０７】
フェーシングブロック７００の配列と相互作用するものは、正面７０２の近くから背面７０８の背後の締め固め土７２９まで延伸する引張アーム又は引張部材７２８を含んでなる連続ワイヤメッシュ又はワイヤシースである。交差部材７３０は引張部材７２８を相互連結する。外側の交差部材７３２は引張アーム又は引張部材７２８を連結し交差座ぐり７１８内に収まる。交差部材７３２は隣接するフェーシングブロック７００のその座ぐりの長さに渡って延伸する。このように、フェーシングブロック７００は剛性の交差部材７３２によって相互連結される。典型的に、交差部材７３２は図６４に示すように引張部材７２８に溶接される。
【０１０８】
図６４に示すように代替的に、引張アーム７２８の端部７３６は、交差座ぐり７１８内に保持されるループとして形成することができる。交差筋７３８は次ぎに端部ループ７３６内に嵌合され、ブロック７００内にロッド７２８を保持する役目を果たす。図６４において座ぐり７１０が垂直下側はもとより垂直上側にも配設されていることに注意されたい。本発明の構成要素を用いて壁を築造する際にいずれの方向にも用いることができる。
【０１０９】
図６５は発明の別の態様を示す。図６５の上面図に言及し、フェーシングブロック７５０は正面７５２と、背面７５４と、側部壁７５６，７５８と、正面７５２の近くから背面７５４まで延伸する平行な座ぐり７６０，７６２，７６４を含む。交差座ぐり７６６は側部壁７５６と７５８との間を延伸する。座ぐり７６０，７６２，７６４，７６６をこのように構成した結果、格子引張部材７６８と交差部材７７０を含む格子ワイヤを受けるのに適した一連のチャンネルをブロック７５０の平行な面である上面又は底面のいずれかに設けることができる。この特別な構成は、フェーシングブロック７５０の特別な垂直方向の連結がないにもかかわらず、低い重力タイプの壁を構築するのに有益である。図６６は断面図であり、ブロック７５０の座ぐり７６０，７６６によって形成されるチャンネル内のワイヤグリッドの位置を示す。図６７は、ワイヤグリッドの代替構造を示す。引張部材７７２が設けられる。ループ７７４は引張部材７７２の端部に形成され、そのループ内に交差筋７６６が嵌合する。この構造は、図６５，６６に示すものと同じように座ぐり７６０，７６６内にフィットする。
【０１１０】
図６８，６９，７０，７１は、１つが他方に対して内側にオフセットした水平列のフェーシングブロック８５０を用いた別の態様の壁構造を示す。図６８に示すように、ブロック８５０はブロック８５０の背面又は壁８５３に隣接する立ち下がり下部リップ８５２を含む。ブロック８５０はまた、第１セットの垂直貫通孔８５４と、該第１セット８５４の背後の第２の垂直貫通孔８５５を含む。図６９に示すように、貫通孔８５４と８５５は座ぐり８５６内に配設され、正面８５８と背面壁８５３との間で互いに他方の背後に配列されている。ここで説明しているいずれのブロックにおいてもそうであるが、貫通孔又はコア８５８はブロックの重量を減少させるために設けることができる。
【０１１１】
いかなる場合でも、ブロック８５０と関連するリップ８５２は、水平な層が段として重ねられるため、ブロック８５０の水平列をオフセットさせる必要がある。リップ８５２と関連するオフセットは垂直貫通孔８５４，８５５の中心のオフセットに等しい。このように、垂直ピン又はロッド８６２はブロック８５０の第１貫通孔８５４を通るように挿入され、そして下方に向かって次の下のブロック８５０の第２貫通孔８５５内に挿入される。これによりブロック８５０同士をロックすることができ、また、要素８６４のような水平安定化要素を保持することができる。安定化要素８６４は今まで図示してきたものと同様であるが、ここに説明する多数のタイプの安定化要素をブロック８５０と組み合わせて使用することができる。
【０１１２】
図７０に示すように、ブロック８７０は、図６５に関して以前に説明した方法と同様な方法でワイヤメッシュマット８７６と協働するための座ぐり８７２と交差座ぐり８７４を備えることができる。ここでも、フェーシングブロック８７０はブロックをオフセットさせるための立ち下がりリップ又はリブ８７７を含み、また、ブロックの重量を軽減するために中央貫通孔開口８８０を含むことができることに留意されたい。また、ブロック８７０の側部壁８７９，８８１は１点に向かって傾斜して多種類のカーブを形成することができることにも留意されたい。但し、この側部壁の傾斜はブロック８７０のオプションの特質である。
【０１１３】
図７２，７３はフェーシングブロック構造の変形例を示し、ここではフェーシングブロック８９０は、水平方向のオフセットを得るためにブロックの正面エッジに沿ったリップ８９２を備える。ブロック８９０はさもなければ上述したように格子又はマット８９８若しくは９００のようなマットと協働するための座ぐり８９４と交差座ぐり８９６を含むように構成される。
【０１１４】
図７４，７５は壁ブロックと壁構造の更に別の変形例を示す。ここで、ほぼ平らな正面壁７８２、背面壁７８４、側部壁７８６，７８８を有するタイプの標準的なドライキャストコンクリートブロック７８０が上面７９０と貫通孔７９２，７９４を有する直方体に成型される。引張部材７９６と交差部材７９８を含むワイヤメッシュが垂直補強棒８０１によってブロック７８９の面７９０上の所定位置に保持される。補強棒８０１は、そういったブロック７８０の貫通孔７９２，７９４が互いに重なる限り垂直方向に隣接するブロック７８０を通るように延伸することができる。補強棒８０１は典型的な補強棒鋼とすることができる。埋め材料は砂又はれきのようなものを使用できる。代替的に、コンクリート又はモルタルを貫通孔７９２，７９４に充填することとしてもよい。棒８０１は交差棒７９８を把持又は保持する。ブロック７８０の隣接する水平列は、部材７９６を受けるスペースを与えるようにモルタルジョイントにより典型的に分離される。
【０１１５】
側面図である図７５は、ワイヤグリッドをブロック７８０に連結するための種々の代替構造を示す。図７５の上部は図７４によって説明図示した構造を有する。代替的に、引張部材７９６はループ状の端部８０３を有する。ループ状の端部８０３は交差棒８０５と協働する。別の代替例として、図７５の安定化要素８０７は図７６により詳細に描かれており、図１４に示す安定化要素と事実上同じである。換言すれば、図７６に示す構成を含み、図７４，７５に示すブロック７８０の構成に多数のタイプの安定化要素を用いることができ、その場合、ブロック７８０は安定化要素８０７と、ブロック７８０の貫通孔７９２のような貫通孔を充填するコンクリート内に好ましくは埋め込まれる垂直補強棒８０１と協働する。
【０１１６】
次に、図７７に言及し、ここでは発明のコンセプトは現場造成の逆控え壁（カウンタフォート）及びその他の構造に結びつけられる。このように、図７７には水平の層が段に積み重ねられた一連のフェーシングブロック６２１であって互いにオフセットしたブロックを有する壁を示す。ブロック６２１は先に説明した特別な構造のいずれかにすることができる。例えば、図２で説明するブロックを図１４で説明するタイプの安定化部材６２３と共に使用することができる。安定化部材６２３は、先に説明したように垂直ピン部材と協働する座ぐり内に先に説明した方法で配設することができる引張アーム６２５，６２７を含む。図７７に示すように、水平方向に隣接するブロック６２１を連結するために安定化部材６２３を使用することができ、あるいはそういったブロック６２１の１つに連結することができる。安定化部材６２３は、ブロック６２１の背面から等距離にある連結交差部材６２９を含む。
【０１１７】
逆控え壁を築造するために、一連の安定化要素６２３が垂直方向に重ねられて配列される。アセンブリ全体は、好ましくは、フーチング６３０から上方に突出しループ又は鉄筋の間に保持される補強筋を備えるプレキャストフーチングの上に載せられる。図７７の逆控え壁に関して、現場造成逆控え壁部材内に上方に延伸する垂直補強部材を含むことが好ましく、又、現場造成フーチングに連結することが好ましいことに留意されたい。
【０１１８】
さらに、フェーシングブロック６２１は先に説明したすべての種々のタイプの安定化要素及びアンカー要素と協働することができ、又、それらに対して使用できることに留意されたい。例えば、はしご状の補強要素６４１は引張ロッド６４３と、これらのほぼ平行な引張ロッド６４３を越えて横方向に延伸する交差部材６４５を含むことができる。安定化部材はまた、図７７に示すように、交差部材６５５が付設された単一の引張アーム６５３を含む部材６５１とすることができる。
【０１１９】
ブロック６２１と組み合わせて用いるさらに別の形態の安定化要素を図７７に示す。特に、１又は２以上のコンクリートブロック６５９は、端から端へ、フェーシングブロック６５３の背面に連結される。メタルクリップ又はその他のファスナ６６１はブロック同士６５９を図示のように連結する。
【０１２０】
図７８にアイソメとして更に別の構造を示す。水平層として構成された一連のプレキャスト又はドライキャストコンクリートブロック９００が段に積み重ねられている。水平層のブロック９００はオーバーラップし、即ち、上の段のブロック下の段のものに対してオーバーラップしている。ブロック（ユニット）９００は、長方形の背面壁９０２と、これまた長方形の正面壁９０４を有し、上方に突出するリップ又はリブ９０６を含むことができる。壁構造にリブ９０６を使用することにより、壁を形成するブロックのそれぞれの層を、例えば図７０又は７２に示すようにセットバックさせることになる。
【０１２１】
いずれの場合においても、正面壁９０４は背面壁９０２から離間し、貫通孔９１２は壁９０２，９０４，９０８，９１０によって形成される。側部壁である壁９０８，９１０は１点に集束するように傾斜した側部壁であることに留意されたい。従って、背面壁９０２の棚又はエッジ、より詳しくは、背面壁９０２によって形成された棚又はエッジ部９１４は、傾斜した側部壁が湾曲壁を形成することができるように傾斜させることができる。
【０１２２】
ブロック９００，より詳しくは、側部壁９０８，９１０はそれぞれ貫通スロット９１６，９１８を含む。これらの貫通スロット９１６，９１８はほぼ平行であり、壁９０８，９１０の上面エッジ内でくぼんでいる。これらの貫通スロットは底面エッジ内に形成することができる。背面壁９０２は、側部壁９０８，９１０が背面壁９０２と交わるそれぞれの部分のそばに第３のスロット又は長手方向に延伸するスロット９２０を含む。ここでも、スロット９２０は背面壁９０２の上面又は底面内に位置させることができる。
【０１２３】
引張補強部材又は要素９２２は、外部交差棒９２８と、第１及び第２内部交差棒９３０，９３２によって連結される第１及び第２の長手方向の引張部材９３０，９３２を含む。長手方向の引張要素９２４，９２６の一方はもとより交差部材９３０，９３２も交差棒９３０の延長部９３６のような下方に立ち下がった、あるいは、横方向の延長部で終端させることができる。交差棒連結棒９３０，９３２はそれぞれ、水平層の隣接ブロック９００のスロット９１８，９１６内にフィットする。長手方向要素９２４，９２６は、背面壁９０２まで延伸しあるいはそれを通過するスロット９２０内にフィットする。要素９２２は、このように隣接するブロック９００のジョイントを適正に維持し、壁の正面を形成するブロック９００のモザイクに要素９２２をアンカーリングするという多重機能を果たす。
【０１２４】
交差部材９３０，９３２が用いられないとき、あるいは要素９２２に含まれないときは、長手方向部材９２４，９２６の下方に曲がった、あるいは横方向の端部９３６はブロック９００の中空コア９１２内にフィットする。中空コア９１２は次ぎにコンクリート若しくは骨材又はその他の材料で充填されて延長部９３６と要素９２２の保持を助長する。更に、背面壁９０２は要素延長部９３６のブロック９００との係合が離脱しないようにする役目を果たす。このように、要素９２２はその特別な構造に従いブロック９００と共に多重の相互作用を果たす。
【０１２５】
第１及び第２の連結交差部材９３０，９３２を用いるこの特別な構造は１つの好ましい態様である。しかしながら、先に説明したように、ブロック９００の特定の構造に対してその他の種々の構造を有する引張要素９２２を使用することができる。交差部材９３０，９３２は、ブロック９００によって築造される壁の築造がその壁の一体性を維持するように、一方また、要素９２２のブロックとの組み合わせを維持するように、スロット９２０内で離間して配設されることにここでも留意されたい。
【０１２６】
図７９，８０は、引張部材及び／又はアンカーリング部材を含む一連の種々のタイプの安定化要素と、土工事を行うためにそういった安定化要素をブロックに取り付ける連結機構を示す。故に、以下は、これらの種々の代替構造例を説明するものである。
【０１２７】
最初に図７９は、プレキャストコンクリート又は集合ブロック１００２を含む実施形態を示す。ブロック１００２は一連のくぼんだスロットあるいはくぼみ１００４，１００６，１００８，１０１０を含む。交差棒１０１２，１０１４と、引張部材１００６，１００８は種々のスロット１００４，１００６，１００８，１０１０内にフィットする。ブロック１００２はむくのブロック又は中空コアを有する若しくはスロット１００４，１００６，１００８，１０１０の下に中空領域を有するブロックとすることができる。
【０１２８】
次ぎに、一対の横に並べる中空コアブロック１０２０を示す。中空コアブロック１０２０は隣接する側部壁１０２２，１０２４を含み、これらの側壁はそれぞれスロット又はくぼみ１０２６，１０２８を含む。スロット１０２６，１０２８内のメタル交差棒１０３０はピンファスナ１０３２によってメタルストリップ１０３４に締め付けられる。ストリップ１０３４は引張アセンブリ１０３６に取り付けられる。引張アセンブリ１０３６の構造は図５６，５７に示すものと同様である。
【０１２９】
次ぎに、中空コアブロック１０４０を示し、このブロックは形成されている溝又はスロット１０４２，１０４４を除き実質的にブロック１０２０と同一である。引張部材１０１６，１０１８はスロット１０４２，１０４４内にフィットする。交差部材１００４，１００６はブロック１０４０の中空コア内に保持され、この中空コアはれき又はコンクリ−ト充填材若しくはその他の充填材１０４６によって充填される。交差棒１００６は、安定化要素保持を助長するためにブロック１０４０の背面壁１０４８に対してフィットする。
【０１３０】
次に示す実施形態は、クリップ１０５４によってブロック１０５０に取り付けられた第２のプレキャストコンクリート中空コアブロック１０５２を備える中空コアブロック１０５０を使用する。所望とあれば、ブロック１０５０，１０５２の壁内に設けたくぼみ内にクリップ１０５４をフィットさせることができる。ブロック１０５２は、スロット１０５６のような交差部材１００４を受けるのに適したスロットを備える標準的な中空コアコンクリートブロックである。交差部材１００６のために追加のスロットが設けられる。
【０１３１】
次ぎに、先に説明したように安定化部材と協働するブロック１０６０を示し、ここでは、中空コアブロック１０６０は、溝１０６４に連結されたくぼみ又は溝１０６２を含む。溝１０６４は背面壁１０６８において溝１０６６と整合する。ここでも、引張部材１０１８と、交差部材又は交差棒１００４，１００６はそのように形成された種々の溝内にフィットする。
【０１３２】
次に図８０は、くぼみポケット又はくぼみ部１０７２を有する別のブロック１０７０を示す。くぼみ部はブロック１０７０の正面から斜めに広がり、図５６，５７に示すタイプの安定化部材１０７８の板１０７６に嵌合するピン１０７４を受けるためのピン開口を含む。
【０１３３】
次に中空コアブロック１０８０（他の中空コアブロックに類似している）は背面壁１０８６内に一対のスロット１０８２，１０８４を含む。安定化引張部材１０８７，１０８８はスロット１０８２，１０８４内に嵌合し、交差部材はブロック１０８０の中空コア内に保持される。安定化要素の保持を更に高めるためにピン１０８９を粒子状充填材若しくはコンクリート充填材又は骨材１０９０内にフィットさせることができる。
【０１３４】
ブロック１０９１は、一対のピン１０９２，１０９４が離間した引張部材１０１８，１０１６と協働することを除けば、ブロック１０８０に非常に似ている。ここでも、溝は引張部材１０１６，１０１８と協働するためにブロック１０９１の背面壁内に形成される。
【０１３５】
ブロック１９８０，１０９１を結びつけて、米国特許第４，１１６，０１０号及び／又は米国特許第４，７１０，０６２号に示すような高い付着力のストリップが隣接するブロック１０８０と１０９１に連結されている更に別の実施形態を示している。このようにストリップ１０９６はピン１０９８によって交差部材１０９９に取り付けられる。交差部材１０９９は、ブロック１０８０，１０９１を互いに連結するため、そしてストリップ１０９６をそれに連結するために、隣接ブロック１０８０，１０９１の側部に切り欠いたスロットにフィットする。
【０１３６】
ブロック１１００は、背面壁１１０６に切り欠いた一対のスロット１１０２，１１０４を備える中空コアブロックである。多数の交差部材１００４，１００５，１００６はブロック１１００内の骨材１００７内に保持される。
【０１３７】
ブロック１１１０もまた、図７９のブロック１０５２に似たコンクリートブロック１１１２と協働する中空コアブロックである。しかしながら、ここでは、コンクリートブロック１１１２はスロットが設けられ、あるいはスロット１１１５，１１１６のようなスロットに係合する安定化部材１１１４と協働するように形成されている。交差部材１１１７を使用しブロック１１１２の中空コア内に配設して安定化要素１１１４を保持することを助長することとしてもよい。クリップ１１１８はブロック１１１０をブロック１１１２に連結する。
【０１３８】
最後に、図１に示すブロックに非常によく似たブロック１１２０を示し、ここでは、安定化要素は、第１及び第２の引張部材１１２２，１１２４を含み、これらの引張部材はブロック１１２０の上面に形成されたチャンネル１１２６，１１２８内に延伸する。引張部材１１２２，１１２４は、ピンとして働きブロック１１２０に形成した開口１１３０，１１３２内にフィットするＬ字型の延長部を含む。開口１１３０，１１３２は部分的あるいは全体的にブロック１２０を貫通して延伸することができる。この実施態様において、隣接するブロックを引張部材１１２２，１１２４によって相互に連結することができる。すなわち、引張部材１１２２，１１２４は隣接するブロックのチャンネル内に延伸することができる。
【０１３９】
プレキャストパネル、ブロック、ワイヤメッシュフェーシング要素等のような壁要素に対する安定化要素のコネクタの変形例はもちろん、安定化要素構造の変形例も可能である。従って、発明は特許請求の範囲及びその同等物によってのみ限定される。
【図面の簡単な説明】
【図１】  各種の代替要素又は構成要素を組入れた、本発明のモジュールブロック保持壁建造物の実施形態及び例を示す、一部切り取った等角図である。
【図２】  本発明の保持壁建造物で用いられる改良された標準モジュール壁ブロックの等角図である。
【図３】  図２のモジュールブロックと組み合って用いられかつ摩擦、固定手段によって土又は微粒子と協同かつ相互作用する、土安定化、固定要素の等角図である。
【図４】  本発明の改良された保持壁建造で図２の壁ブロック及び図３の土安定化要素と相互作用する典型的固定ロッドの等角図である。図４Aは、図４ロッドの代わりの建造物である。
【図５】  図２のブロックの底部平面図である。
【図６】  図５のブロックの後方立面図である。
【図７】  図５のブロックの側部立面図である。
【図８】  図５の壁ブロックと対照される角ブロックの頂部平面図である。
【図９】  図８のブロックの後方立面図である。
【図１０】  図８のブロックの側部立面図である。
【図１１】  代わりの角ブロック建造物の頂部平面図である。
【図１２】  図１１のブロックの後方立面図である。
【図１３】  図１１のブロックの側部立面図である。図１３Aは、角ブロック用の代替貫通穴パターンの頂部平面図である。
【図１４】  図３に示す型の典型的土安定化要素又は構成要素の頂部平面図である。
【図１５】  代替土安定化要素の構成要素の頂部平面図である。図１５Aは、図１５要素の代替構成要素の等角図である。
【図１６】  図２に示す型のブロックと組み合わせた図１４に示す要素の底部平面図である。
【図１７】  可撓ジオテクスタイル材料及び図２に示す型のブロックと組み合った図１６に示す構成要素の底部平面図である。
【図１８】  保持壁を形成する他の構成要素及び要素と組み合った図２のモジュール壁ブロック及び図８に示すような角ブロックの典型的アッセンブリの前方立面図である。
【図１９】  ライン１９−１９に沿ってとられた図１８の壁の断面図である。
【図２０】  ライン２０−２０に沿ってとられた図１８の壁の断面図である。
【図２１】  ライン２１−２１に沿ってとられた図１８の壁の断面図である。
【図２２】  図１７に示す型の組合せの側部断面図である。
【図２３】  図１６に示す型の組合せの側部断面図である。
【図２４】  外部曲線を形成するためにモジュールブロック要素の配列を描写する典型的保持壁建造物の頂部平面図である。
【図２５】  内部曲線を形成するように配列されたモジュールブロック要素の
頂部平面図である。
【図２６】  本発明による典型的保持壁を描写する前方立面図である。
【図２７】  本発明を用いてスリップジョイントが建造され得る方法を例示する保持壁の拡大前方立面図である。
【図２８】  ライン２８−２８に沿ってとられた図２７の壁の断面図である。
【図２９】  ライン２９−２９に沿ってとられた図２７の壁の断面図である。
【図３０】  一対のフェ-シングブロック用型で始めに乾式成型される本発明のモジュールフェ-シングブロックの底部平面図である。
【図３１】１対の別々のモジュールフェーシングブロックを与えるために、図３０の成型ブロックが分離される方法を描写する図３０と類似の底部平面図である。
【図３２】  角ブロックの成型形成の頂部平面図である。
【図３３】  図３２の角ブロックが分割又は分離されてしまった後の頂部平面図である。
【図３４】  角ブロック用の代替成型列の平面図である。
【図３５】  分離された図２４の角ブロックの平面図である。
【図３６】キャップブロックを有する壁建造物の前方立面図である。図３６Aは、角を形成するキャップブロックの頂部平面図である。
【図３７】  代わりの安定化要素の等角図である。
【図３８】  代わりの安定化要素及び壁ブロック建造物の底部平面図である。
【図３９】  他の代わりの安定化要素及び壁ブロック建造物の底部平面図である。
【図４０】  固定型安定化要素を用いる代わりの壁建造物の側部立面図である。
【図４１】  ライン４１−４１に沿ってとられた図４０の壁建造物の底部平面図である。
【図４２】  代わりの安定化要素建造物の頂部平面図である。
【図４３】  他の代替安定化要素建造物の頂部平面図である。
【図４４】  他の安定化要素建造物の頂部平面図である。
【図４５】  代わりのキャップブロック建造物の底部平面図である。
【図４６】  ライン４６−４６に沿ってとられた図４５の代替キャップブロック建造物の断面図である。
【図４７】  プレキャスト壁パネルと組み合って安定化要素を描写し、さらに安定化要素をパネルに固定する固定アッセンブリを例示する、代わりの建造物の側部立面図である。
【図４８】  図４７のものと類似のアッセンブリの頂部平面図である。
【図４９】  再び図４７のものと類似のさらなる代替アッセンブリの側部立面図である。
【図５０】  安定化要素をパネル、ブロック又は壁部材に取付けるさらなる機構を組入れた、図４７のものと類似のさらに別の代替アッセンブリの側部立面図である。
【図５１】  図５０のアッセンブリと組み合わせて用いられるファスナ要素の平面図である。
【図５２】  組立て前の図５０の一定構成要素部分の頂部平面図である。
【図５３】  異なった構成で組立てられた同一構成要素を用いた図５０のものと類似のアッセンブリの側部立面図である。
【図５４】  安定化要素をパネル、ブロック等にしっかり留めるシステムと組み合わせた他の安定化要素建造物の側部立面図である。
【図５５】  図５４アッセンブリの頂部平面図である。
【図５６】  壁ブロック、プレキャストフェーシング要素及び他の型のフェーシング要素を用いて、図５４のアッセンブリ及び各種他の型のアッセンブリと組み合わせて用いられ得る型の代わりの安定化要素の頂部平面図である。
【図５７】  図５６の安定化要素の側部立面図である。
【図５８】  例えば、壁パネル及び壁パネルの正しい位置に成型（又はプレキャスト）された代わりの継ぎ手又はタブ建造物と組み合わせて、図４７に描写する型の安定化要素の透視図である。
【図５９】  図５８に描写する壁パネルの正しい位置に成型（プレキャスト）されたタブ建造物の等角図である。
【図６０】  正しい位置で成型又はプレキャストされた代わりの壁パネル及びタブ建造物の側部立面図である。
【図６１】  安定化要素を壁パアネルに取付けると共にさらに安定化要素の部分を取付けるために、正しい位置で成型された留め建造物と組み合わせた代わりの安定化要素構成の透視図である。
【図６２】  図６１の建造物の頂部平面図である。
【図６３】  ワイヤ格子と組み合わせたモジュールフェーシングブロックを用いる他の代替建造物の部分的頂部平面図である。
【図６４】  図６３の建造物の側部断面図である。
【図６５】  ワイヤ格子と組み合わせたモジュールフェーシングブロックを用いる他の代替建造物の部分的頂部平面図である。
【図６６】  図６５の建造物の側部断面図である。
【図６７】  図６６建造物の代わりの部分的側面図である。
【図６８】  代わりのフェーシングブロック建造物を描写する、図６６建造物の代替物の部分的側面図である。
【図６９】  図６８建造物の部分的側面図である。
【図７０】  図６８に描写する建造物の代替物の部分的側面図である。
【図７１】  図６５の建造物と類似の代わりのフェーシングブロックを描写する代わりの建造物の部分的頂部平面図である。
【図７２】  修正されたフェーシングブロック構成を用いる他の代替建造物の部分的側面図である。
【図７３】  図５６の建造物で用いられるフェーシングブロックの頂部平面図である。
【図７４】  ワイヤ格子と組み合ったモジュールフェーシングブロックを用いるさらに他の代替建造物の部分的頂部平面図である。
【図７５】  図７４に描写するワイヤ格子及びブロックの各種の代替組合せを描写する部分的側面図である。
【図７６】  図７４に描写する建造物の他の変形の頂部平面図である。
【図７７】  フェーシングブロック、各種の継ぎ手ピン及び正しい位置で形作られた扶壁と組み合って、衝撃アーム及び衝撃部材を用いる本発明の他の代替実施形態の部分的頂部平面図である。
【図７８】  伸張補強部材と組み合ってプレキャスト又は乾式成型されたコンクリートフェーシングブロック又はフエーシングユニットを含む土工作物構造体の代替実施形態の等角図である。
【図７９】  土工作物構造体の形成に有用な各種の方法で協同する補強部材及び関連するブロック要素の代替実施形態の頂部平面図である。
【図８０】  土工作物構造体の建造における各種のデザインのブロックと組み合った伸張補強部材の追加の代替実施形態の頂部平面図である。
【図１】
0004119946.tif 000003
【図２】
0004119946.tif 000004
【図３】
0004119946.tif 000005
【図４】
0004119946.tif 000006
【図４Ａ】
0004119946.tif 000007
【図５】
0004119946.tif 000008
【図６】
0004119946.tif 000009
【図７】
0004119946.tif 000010
【図８】
0004119946.tif 000011
【図９】
0004119946.tif 000012
【図１０】
0004119946.tif 000013
【図１１】
0004119946.tif 000014
【図１２】
0004119946.tif 000015
【図１３】
0004119946.tif 000016
【図１３Ａ】
0004119946.tif 000017
【図１４】
0004119946.tif 000018
【図１５】
0004119946.tif 000019
【図１５Ａ】
0004119946.tif 000020
【図１６】
0004119946.tif 000021
【図１７】
0004119946.tif 000022
【図１８】
0004119946.tif 000023
【図１９】
0004119946.tif 000024
【図２０】
0004119946.tif 000025
【図２１】
0004119946.tif 000026
【図２２】
0004119946.tif 000027
【図２３】
0004119946.tif 000028
【図２４】
0004119946.tif 000029
【図２５】
0004119946.tif 000030
【図２６】
0004119946.tif 000031
【図２７】
0004119946.tif 000032
【図２８】
0004119946.tif 000033
【図２９】
0004119946.tif 000034
【図３０】
0004119946.tif 000035
【図３１】
0004119946.tif 000036
【図３２】
0004119946.tif 000037
【図３３】
0004119946.tif 000038
【図３４】
0004119946.tif 000039
【図３５】
0004119946.tif 000040
【図３６】
0004119946.tif 000041
【図３６Ａ】
0004119946.tif 000042
【図３７】
0004119946.tif 000043
【図３８】
0004119946.tif 000044
【図３９】
0004119946.tif 000045
【図４０】
0004119946.tif 000046
【図４１】
0004119946.tif 000047
【図４２】
0004119946.tif 000048
【図４３】
0004119946.tif 000049
【図４４】
0004119946.tif 000050
【図４５】
0004119946.tif 000051
【図４６】
0004119946.tif 000052
【図４７】
0004119946.tif 000053
【図４８】
0004119946.tif 000054
【図４９】
0004119946.tif 000055
【図５０】
0004119946.tif 000056
【図５１】
0004119946.tif 000057
【図５２】
0004119946.tif 000058
【図５３】
0004119946.tif 000059
【図５４】
0004119946.tif 000060
【図５５】
0004119946.tif 000061
【図５６】
0004119946.tif 000062
【図５７】
0004119946.tif 000063
【図５８】
0004119946.tif 000064
【図５９】
0004119946.tif 000065
【図６０】
0004119946.tif 000066
【図６１】
0004119946.tif 000067
【図６２】
0004119946.tif 000068
【図６３】
0004119946.tif 000069
【図６４】
0004119946.tif 000070
【図６５】
0004119946.tif 000071
【図６６】
0004119946.tif 000072
【図６７】
0004119946.tif 000073
【図６８】
0004119946.tif 000074
【図６９】
0004119946.tif 000075
【図７０】
0004119946.tif 000076
【図７１】
0004119946.tif 000077
【図７２】
0004119946.tif 000078
【図７３】
0004119946.tif 000079
【図７４】
0004119946.tif 000080
【図７５】
0004119946.tif 000081
【図７６】
0004119946.tif 000082
【図７７】
0004119946.tif 000083
【図７８】
0004119946.tif 000084
【図７９】
0004119946.tif 000085
【図８０】
0004119946.tif 000086